(57)【要約】【課題】  従来の写真は、静止画のみの長期間固定的な同一内容の表示であり、動画による写真という概念及び動画写真（動画写真、動画写真レター等）そのものがなく、テレビ、パソコン及びデジタルカメラ等での映像でしか存在しなかった。【解決手段】  薄さ数ミリのフレキシブルな有機ＥＬディスプレイ装置と、小型で薄い電池が収納されるスペースと、デジタルカメラ等による動画記録用の携帯用記録媒体を出し入れできるスペース及びその再生装置を、薄い写真用台紙の中に一体的に収納した。これにより、携帯用記録媒体に記録された動画を、従来の写真が有する長期間固定的な同一の映像と同じく、一定範囲の動画を長期間固定的な同一の映像として、簡易かつ容易に繰り返して再生することができる。また、この動画フォトを基本構成要素とすることで机上動画マットや動画ポスターも簡易かつ容易に活用できる。【選択図】図１
2006262427.tif 000002
【特許請求の範囲】
【請求項１】
デジタルカメラ及びデジタルビデオカメラ形式（以下「デジタルカメラ等」という。）で撮影した動画（静止画を含み、以下略する。）を記録した携帯用記録媒体を、その動画記録を読み出して再生する再生装置（映像エンジン、再生ソフト及び関連機器を含み、以下略する。）及び電源を内蔵したフレキシブルで薄型の動画表示ディスプレイ装置体に出し入れすることで、再生された動画を写真として見ることのできる動画写真（写真立て、写真アルバム、写真レターを含み、以下「動画フォト」という。）、机上動画マット（壁掛用マット及び机上嵌込式硬質マットを含み、以下略する。）及び動画ポスター。
【請求項２】
デジタルカメラ等で撮影した動画及び音声を記録した携帯用記録媒体を、その動画及び音声を読み出して再生する再生装置及び電源を内蔵したフレキシブルで薄型の動画表示ディスプレイ装置体に出し入れすることで、再生された動画及び音声を音声付き動画写真として見たり聞いたりすることができることを特徴とする上記請求項１記載の動画フォト、机上動画マット及び動画ポスター。
【請求項３】
従来の写真が有する長期間固定的な同一内容の表示及び記録保存機能という特性を、動画に応用して動画写真（動画フォト）として活用する考え方（概念）を用いたことを特徴とする請求項１記載の動画フォト、机上動画マット及び動画ポスター。
【請求項４】
電源として電池、太陽電池又は一般家庭用電力を用いることのできるようにしたことを特徴とする上記請求項１記載の動画フォト、机上動画マット及び動画ポスター。
【発明の詳細な説明】
【技術分野】
【０００１】  本発明は、デジタルカメラ等で撮影した動画（音声を含み以下略する。）を記録した携帯用記録媒体を、その動画記録を読み出して再生する再生装置及び電源を内蔵したフレキシブルで薄型の動画表示ディスプレイ装置体に出し入れすることで、再生される動画の全部又は一定範囲の動画を写真として見ることのできる動画フォト、机上動画マット及び動画ポスターに関する。
【背景技術】
【０００２】  従来の写真は、静止画だけを表現するものであり、印画紙に銀塩方式によって静止画像を写し込むものだけであった。【０００３】  そのため、動画には写真という考え方は存在せず、一般的にはテレビやパソコンによって再生するということになる。この場合には、ビデオテープやＣＤーＲＯＭ等の記録媒体を用いてビデオレコーダーやハードディスクによって記録され再生するという方法が用いられている。【０００４】  また、デジタルカメラ等による動画再生では、携帯用記録媒体（ＳＤメモリーカード、メモリースティックタイプ等を言い、以下略する。）にある動画ファイルから、再生装置でデジタル信号をエコードして再生画面である液晶モニタに表示している。【０００５】  その場合、テレビや携帯用記録媒体に用いられる画像情報の圧縮形式では、静止画専用であったＪＰＥＧ方式が、簡易静止画用としてデジタルカメラ等での簡易な動画に対応できることとなり、動画専用のＭＰＥＧ方式と併せて、より簡易な動画の記録及び再生が可能となっている。【０００６】  さらに、フレキシブルで薄型の表示ディスプレイ装置として、例えばパイオニア社の有機ＥＬディスプレイ装置等がある。
【発明の開示】
【発明が解決しようとする課題】
【０００７】  デジタルカメラ等の静止画機能は、その内蔵されている液晶モニタによって再生されるが、それは単なる一時的な表示写真であり、写真の本来有する長期間の固定的な同一表示は目的外であり想定外であった。【０００８】  また動画機能においても、上記同様に内蔵されている液晶モニタによって再生されるものの、撮影した動画面のチェック機能を主眼としているに過ぎず、そのため撮影した動画を本格的に再生しようとする場合には、ＤＶＤなどでのテレビ再生やＣＤ−ＲＯＭでのパソコン再生しかなく、上記静止画機能以上に、本来の写真が有する長期間の固定的同一表示などの特性を満たすものではなく、想定外のものであった【０００９】  そもそも写真は動画として存在するものではなく、その特徴は静止画として長期間の固定的な同一内容の表示及び記録保存にあるため、動画写真（動画フォト）としての機能は全く考えられていなかった。そのために、その用途においても静止画としてのみの写真や写真レター、またポスターや書籍、さらには下敷きや透明マットなどに写込まれたりして活用はされていたが、動画写真専用のそれらの商品としては全く存在していなかった。【００１０】  本発明は、このようなデジタルカメラ等で撮影した動画について、本来の写真が有する長期間固定的に同一となる動画が一定範囲で再現されるような動画写真（動画フォト）の概念を提示するとともに、その動画写真を活かした動画フォト、机上動画マット及び動画ポスターを実現しようとするものである。
【課題を解決するための手段】
【００１１】  本発明は上記目的を達成するために、まず動画フォトについて、とりあえず通常の写真で２Ｌサイズ程の大きさ（形状は自由とする。）で薄さ数ミリセンチのフレキシブルな有機ＥＬディスプレイ装置を、それより一回り程大きくて僅かに厚い台紙（紙製でもフレキシブルプラスチックでも可。）に嵌め込み、台紙付き写真の体裁をとる。【００１２】  次に、その内部に小型で薄い電池が収納されるスペースと、デジタルカメラ等によって得られた動画を記録した携帯用記録媒体を出し入れできるスペース及び再生装置を一体的に収納することで、外見上は一枚の台紙付き写真となるようにする。【００１３】  そして、この台紙付き写真の体裁をとる動画フォトに携帯用記録媒体を挿入し、内蔵されている再生装置によって記録されていた動画の全部又は一定範囲を指定し、繰り返し再生するとともに必要に応じて音声をも再生するように、切替スイッチや電源スイッチを併せて設けることで簡易かつ容易に同一の動画を再生できるようにしたものである。【００１４】  なお、電源としては電池以外にもこの動画フォトに表紙を取り付けて、それを受光板とした太陽電池形式や、大きさによってはＡＣ電源を用いることもできるようにしたものである。【００１５】  次に、上記動画フォトを机上動画マットとして活用する場合、平面形状はおよそＡ４版からＡ３版程度を考える。このとき、上記動画フォトを嵌め込む下部マットの外側輪郭部（幅約３から５センチを目安。）に電池或いはＡＣ電源用装置、さらに携帯用記録媒体の挿入部及び再生装置を一体的に収納（組み込む）し、重要な装置部は防護用として硬質樹脂や金属で保護する。【００１６】  そして、当該マット自体はフレキシブルな軟質樹脂材を使用するが、その上面で事務及び学務等を行えるように、表示部分の上面にさらに５ミリ程度の透明で弾力のある厚みを有する軟質樹脂材を上部マットとして取り付ける（下部マットは透明性不要。）。【００１７】  さらに、上記動画フォトをポスターとして活用する場合、原理は上記と同じであるが、有機ＥＬディスプレイ装置ではＡ３版程度が技術的に限界と考えられるため、平面形状はＡ３版を目安とする。また当該ポスターでは、携帯用記録媒体の挿入部及び再生装置の一体的な収納を平面下部に重点的に配置して重心への配慮をする。【００１８】  そして、その外装部にはすべてを薄く柔らかで透明なフィルムによる保護体を配して、雨、埃、汚れ及び毀損から保護する。また、当該ポスターの使用目的となる建物及び電車等乗物内の壁面や吊り部での広告を考えて、必要に応じて最外郭部を硬質系樹脂又は軽量金属で囲み、強度の維持や固定具を取り付けられるようにする。
【発明の効果】
【００１９】  本発明の動画フォトでは、まず今まで静止画のみでしか存在しなかった写真が、動画としての写真（動画フォト）とすることで、本来の写真が持つ長期間固定的な同一の内容を提供できる。【００２０】  すなわち、デジタルカメラ等による動画を、従来のビデオより簡便かつ容易に一定範囲の動画として長期間固定的に繰り返して見ることができるので、従来の写真と同様に写真観賞及び記録保存特性が動画写真として実現でき、写真レター等に使用されることなる。【００２１】  さらに、本来の写真が持つ視覚的な意思伝達手段（視覚コミュニケーション性）及び脳裏記録手段（記憶回顧及び記憶定着化）としての特性が、より視覚的かつ効果的なレベルに向上される。【００２２】  具体的には、例えばデジタルカメラ等による記念写真の動画において、被写体（人間、動物及び自然風景等）の動作、言動、表情等を一定範囲での動画として鮮明に再生されるために、より強い印象を見る側に与えたり、より強烈に脳裏に記憶されたり、また当時の記憶がより鮮明に蘇る等の視覚的、印象的効果を格段に増大させる。【００２３】  次に、机上動画マットでは、学業や業務用の机上に置かれた場合、大がかりな準備を要することなく簡易かつ容易に意低範囲の動画を写真的に表示できることで、例えば水槽映像等では見る者の神経を沈静化させる（魚の泳ぐ水槽映像は沈静化作用有りとの医学的見識がある。）ことによって精神安定効果及び能率の向上・促進が図られる。【００２４】  さらに、動画ポスターでも、動画フォトと同じ視覚効果がより大きく期待できるので、宣伝等の広告としての効果を増大させる。また、例えば電車内では、通勤通学の混雑時に簡易な動画ポスターによる精神安定化の映像画面が、混雑時ストレスを緩和し争い事を防止できる。特に上述した水槽映像を簡易かつ容易な動画ポスターとした場合、乗車客の精神安定に寄大きく寄与することとなる。
【発明の実施するための最良の形態】
【００２５】  以下、本発明の実施の形態を図１〜図７に基づいて説明する。
【００２６】  図においては、図１の動画フォト１を基本とするので、２の携帯用記録媒体、２を出し入れする場所となる携帯用記録媒体挿入部３、２の記録を読み出す再生装置及び電源の収納スペース６、そして読み出された記録を映像表示する画面となる有機ＥＬディスプレイ装置４とその保護体（ＥＬＤ保護体）５、さらに４を水分から保護する防水・防湿フィルム層８は、スイッチ部１−ａとともに基本構成要素となる。
【００２７】  まず図１及び図２において、動画フォト１は、動画記録を保存する携帯用記録媒体２を出し入れする携帯用記録媒体挿入部３と、再生装置及び電源の収納スペース６、動画再生表示画面となる有機ＥＬディスプレイ装置４を台紙（紙又は軟質系合成樹脂材で、以下略する。）７と一体的に組合せ、台詞付き写真としての体裁を整えたものとしている。
【００２８】  そして有機ＥＬディスプレイ装置４を保護するために、その外郭部をアルミ材で囲ったＥＬＤ保護体５を設けるとともに、５と台紙７との接触部である底部に防水・防湿フィルム層８を設けている。
【００２９】  さらに、再生装置及び電源の収納スペース６、携帯用記録媒体挿入部３及び有機ＥＬディスプレイ装置４と電源の切替等を行うスイッチ部１−ａは硬質系合成樹脂又は軽量金属によって保護している。
【００３０】  なお、通常の電源は電池を使用するが、動画フォト１の形状を大きくする場合には、電池では電源不足となるため、ＡＣ電源用配線及び関連機器を内蔵したり付属品とすることも含めている。
【００３１】  一方、図３の動画フォト（太陽電池版）９は、上記図１及び図２における構成要素を基本としつつ、動画フォト１に表紙１１を設けたタイプのものである。具体的には、表紙１１が受光板として使用されるものである。
【００３２】  このとき、動画フォト１の再生装置及び電源の収納スペース６には、太陽電池用の配線及び関連機器が収納されるとともに、動画フォト１と表紙１１の取り付け部には、必要に応じて蝶番１０（接着剤でも可能。）を用いることとなる。
【００３３】  図４及び図５は、動画フォト１を机上マットに活用した机上動画マット１２に係るものである。まず５ミリから１センチ程度の薄く柔らかい弾力のある合成樹脂材による下部マット１５に、動画フォト１を構成する携帯用記録媒体挿入部３、有機ＥＬディスプレイ装置４、ＥＬＤ保護体５、再生装置及び電源の収納スペース６、そして防水・防湿フィルム層８が一体的に収納されている。
【００３４】  次に上記の下部マット１５に、透明で弾力のある軟質系合成樹脂材による上部マット１４を、取付材１６（接着剤、マジックテープ又はプラスチック鋲。以下略する。）によって取り合わせる。
【００３５】  ここでも机上面の全面に拡げる場合には、ＡＣ電源用配線及び関連機器を内蔵したり付属品とすることも含めている。
【００３６】  図６及び図７は、動画フォト１をポスターに活用した動画ポスター１７に係るものである。これも原理的には動画フォト１をＡ３版程度に拡大したものであるが、形状が大きくなるために、電源については電池形式を基本としつつも、ＡＣ電源用配線をポスター用台紙部（動画フォト１に用いる台紙と同じ。）２０に内蔵したり付属品とするための再生装置及び電源の収納スペース６を下部に配置し、重心的配慮をしている。
【００３７】  また、防水・防湿対策としての薄く透明な保護フィルム層１９を当該動画ポスター１７の上面に配するとともに、外側部には強度及び側面対策として硬質系合成樹脂材又は軽量金属による外隔フレーム１８を設けている。
【図面の簡単な説明】
【００３８】
【図１】本発明の実施形態を示す動画フォトの平面図
【図２】同動画フォトのＡ−Ａ断面図
【図３】同動画フォトを太陽電池版タイプとした平面図
【図４】同机上動画マットの平面図
【図５】同机上動画マットのＢ−Ｂ断面図
【図６】同動画ポスターの平面図
【図７】同動画ポスターのＣ−Ｃ断面図
【符号の説明】
【００３９】  １      動画フォト
１−ａ  スイッチ部
２      携帯用記録媒体
３      携帯用記録媒体挿入部
４      有機ＥＬディスプレイ装置（ＥＬＤ）
５      ＥＬＤ保護体
６      再生装置及び電源の収納スペース
７      台紙
８      防水・防湿フィルム層
９      動画フォト（太陽電池版）
１０      蝶番
１１      表紙
１２      机上動画マット
１３      マット外隔部
１４      上部マット体
１５      下部マット体
１６      取付材
１７      動画ポスター
１８      外隔フレーム
１９      保護フィルム層
２０      ポスター用台紙部
【図１】
2006262427.tif 000003
【図２】
2006262427.tif 000004
【図３】
2006262427.tif 000005
【図４】
2006262427.tif 000006
【図５】
2006262427.tif 000007
【図６】
2006262427.tif 000008
【図７】
2006262427.tif 000009